(57)【要約】      （修正有）【課題】画像データのデータドライバへの転送レートを上げることなく動画像のぼやけを抑制することができる液晶表示装置を提供する。【解決手段】フレーム期間中において，第１の表示領域Ｒａに対して，その画素を画像データに対応する第１の電圧Ｖｓで駆動するスタート駆動ＳＤと，画像データに対応する第２の電圧Ｖｈで駆動するホールド駆動ＨＤとを順に行い，その後，第２の表示領域Ｒｂに対して，スタート駆動ＳＤとホールド駆動ＨＤとを順に行う。そして，第１の表示領域Ｒａのスタート駆動ＳＤ後に第１のバックライトユニットＢＬＴａを点灯し，第２の表示領域Ｒｂのスタート駆動ＳＤ後に第２のバックライトユニットＢＬＴｂを点灯する。【選択図】図８
2006243185.tif 000002
【特許請求の範囲】
【請求項１】
フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域とにそれぞれ光を供給する第１及び第２のバックライトユニットを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯することを特徴とする液晶表示装置。
【請求項２】
フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域とにそれぞれ光を供給する第１及び第２のバックライトユニットを有し，
前記液晶制御回路ユニットは，フレーム期間内の駆動期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯し，
更に，液晶制御回路ユニットは，フレーム期間内の前記駆動期間後の保持期間において前記第１及び第２の表示領域の画素の電圧を保持することを特徴とする液晶表示装置。
【請求項３】
請求項１または２において，
前記第１の電圧は，前記液晶の透過率の変化を速めるオーバードライブ電圧であり，前記第２の電圧は，前記液晶の透過率を保持する保持電圧であることを特徴とする液晶表示装置。
【請求項４】
請求項１または２において，
前記スタート駆動及びホールド駆動では，前記液晶制御回路ユニットが，対応する第１及び第２の表示領域内のゲート線を順次駆動しながら，前記データ線を第１及び第２の電圧で駆動することを特徴とする液晶表示装置。
【請求項５】
フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域と，第３のゲート線群を有する第３の表示領域と，第４のゲート線群を有する第４の表示領域とにそれぞれ光を供給する第１乃至第４のバックライトユニットを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，その後，前記第３の表示領域に対して，前記スタート駆動とホールド駆動とを順に行い，その後，前記第４の表示領域に対して，前記スタート駆動とホールド駆動とを順に行い，
前記第１乃至第４の表示領域のスタート駆動それぞれの後に，第１乃至第４のバックライトユニットをそれぞれ点灯することを特徴とする液晶表示装置。
【請求項６】
フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域と，第３のゲート線群を有する第３の表示領域と，第４のゲート線群を有する第４の表示領域とにそれぞれ光を供給する第１乃至第４のバックライトユニットを有し，
前記液晶制御回路ユニットは，フレーム期間中において，
前記第１，第２の表示領域に対して，その画素を前記画像データに対応する第１の電圧で駆動するスタート駆動と，前記画像データに対応する第２の電圧で駆動するホールド駆動とを順に行い，その後，前記第３，第４の表示領域に対して，前記スタート駆動とホールド駆動とを順に行い，
前記第１乃至第４の表示領域のスタート駆動それぞれの後に，第１乃至第４のバックライトユニットをそれぞれ点灯することを特徴とする液晶表示装置。
【請求項７】
請求項５または６において，
前記第１の電圧は，前記液晶の透過率の変化を速めるオーバードライブ電圧であり，前記第２の電圧は，前記液晶の透過率を保持する保持電圧であることを特徴とする液晶表示装置。
【請求項８】
請求項５または６において，
前記スタート駆動及びホールド駆動では，前記液晶制御回路ユニットが，対応する第１及び第２の表示領域内のゲート線を順次駆動しながら，前記データ線を第１及び第２の電圧で駆動することを特徴とする液晶表示装置。
【請求項９】
フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
液晶表示パネルの第１のゲート線群を有する第１の表示領域の液晶層と，第２のゲート線群を有する第２の表示領域の液晶層とにそれぞれ光を供給する第１及び第２のバックライトユニットと，
画像データに対応する電圧を前記データ線を介して画素の液晶層に印加する液晶制御回路ユニットとを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯することを特徴とする液晶表示装置。
【発明の詳細な説明】
【技術分野】
【０００１】
本発明は、動画像表示に適した液晶表示装置に関し，特に、液晶応答速度を高め，動画像のぼやけを抑制する液晶表示装置に関する。
【背景技術】
【０００２】
液晶表示装置は，省スペースのフラット型ディスプレイとして広く普及し，近年においてはテレビの表示装置として普及しつつある。液晶表示装置は，液晶層を挟む電極間に輝度に対応する電圧を印加して液晶層の透過率を変化させ，バックライトから透過する光の量を制御することで，所望の輝度または色を表示する。従来の液晶表示装置は，液晶の応答速度の遅さと所定時間印加電圧を保持することで所望の輝度や色を表示するというホールド型表示原理とから，動画像のように時々刻々変化する画像の表示を行うと，動画像のぼやけを招くことになる。つまり，バックライトを点灯しながら液晶層の状態を変化させるため，その透過率変化の過渡状態も表示され，人間の目には動画像のぼやけとして感じられる。
【０００３】
液晶の応答速度を速める方法としてオーバードライブ方式が提案されている。しかし，オーバードライブ方式により液晶層の透過率の変化を加速しても，透過率が変化する過渡状態をバックライトで点灯する場合は，動画像のぼやけをなくすことはできない。そこで，バックライトの点灯を液晶層の透過率が変化完了した後に行うというインパルス駆動方式が提案されている。つまり，インパルス駆動方式では，バックライトの点灯を間欠的に行い，液晶層の透過率が変化している間はバックライトの点灯を行わず，変化完了後に点灯を行う。かかるインパルス駆動方式は，たとえば，以下の特許文献１に記載されている。
【特許文献１】特開２００３−１３１６３５号公報（２００３年５月９日発行）
【発明の開示】
【発明が解決しようとする課題】
【０００４】
しかし，インパルス駆動方式では，液晶層の透過率変化完了後に所定のバックライト点灯期間を確保する必要があるので，液晶層の透過率変化の速度を高速化する必要があり，そのためには，液晶層に電圧を印加する速度を上げなければならない。それに伴い画像データのデータドライバへの転送レートを高くする必要があり，制御回路構成が複雑化するという問題がある。また，液晶層の透過率変化の速度を上げるためには，前述のオーバードライブ方式も必要になる。
【０００５】
オーバードライブ方式では，最初に画像データに対応する電圧よりも高い（または低い）第１の電圧でスタート駆動を行い，その後画像データに対応する第２の電圧でホールド駆動を行う。そのため，液晶層への電圧駆動を２回行う必要がある。この２回の電圧駆動の必要性は，上記のインパルス駆動方式における液晶層への駆動時間の短縮と共に，画像データのデータドライバへの転送レートをより高くすることを要求する。液晶層の駆動時間を短縮できない場合は，１フレーム内における液晶層の透過率変化後の安定期間が短くなり，バックライト点灯期間が短くなり，高輝度の画像表示を困難にする。また，画像データを一旦フレームメモリに格納する場合は，フレームメモリから画像データを読み出す速度も高くする必要があり，その点でも制御回路構成が複雑化する傾向にある。
【０００６】
そこで，本発明の目的は，画像データのデータドライバへの転送レートを上げることなく動画像のぼやけを抑制することができる液晶表示装置を提供することにある。
【課題を解決するための手段】
【０００７】
上記の目的を達成するために，本発明の第１の側面によれば，フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有する。
【０００８】
さらに，前記バックライトは，前記液晶表示パネルの第１のゲート線群を有する第１の表示領域と，第２のゲート線群を有する第２の表示領域とにそれぞれ光を供給する第１及び第２のバックライトユニットを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯する。
【０００９】
上記の目的を達成するために，本発明の第２の側面によれば，フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有する。
【００１０】
さらに，前記バックライトは，前記液晶表示パネルの第１のゲート線群を有する第１の表示領域と，第２のゲート線群を有する第２の表示領域とにそれぞれ光を供給する第１及び第２のバックライトユニットを有し，
前記液晶制御回路ユニットは，フレーム期間内の駆動期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯し，
更に，液晶制御回路ユニットは，フレーム期間内の前記駆動期間後の保持期間において前記第１及び第２の表示領域の画素の電圧を保持する。
【００１１】
上記の目的を達成するために，本発明の第３の側面によれば，フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有する。
【００１２】
さらに，前記バックライトは，前記液晶表示パネルの第１のゲート線群を有する第１の表示領域と，第２のゲート線群を有する第２の表示領域と，第３のゲート線群を有する第３の表示領域と，第４のゲート線群を有する第４の表示領域とにそれぞれ光を供給する第１乃至第４のバックライトユニットを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，その後，前記第３の表示領域に対して，前記スタート駆動とホールド駆動とを順に行い，その後，前記第４の表示領域に対して，前記スタート駆動とホールド駆動とを順に行い，
前記第１乃至第４の表示領域のスタート駆動それぞれの後に，第１乃至第４のバックライトユニットをそれぞれ点灯する。
【００１３】
上記の目的を達成するために，本発明の第４の側面によれば，フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有する。
【００１４】
さらに，前記バックライトは，前記液晶表示パネルの第１のゲート線群を有する第１の表示領域と，第２のゲート線群を有する第２の表示領域と，第３のゲート線群を有する第３の表示領域と，第４のゲート線群を有する第４の表示領域とにそれぞれ光を供給する第１乃至第４のバックライトユニットを有し，
前記液晶制御回路ユニットは，フレーム期間中において，
前記第１，第２の表示領域に対して，その画素を前記画像データに対応する第１の電圧で駆動するスタート駆動と，前記画像データに対応する第２の電圧で駆動するホールド駆動とを順に行い，その後，前記第３，第４の表示領域に対して，前記スタート駆動とホールド駆動とを順に行い，
前記第１乃至第４の表示領域のスタート駆動それぞれの後に，第１乃至第４のバックライトユニットをそれぞれ点灯する。
【発明の効果】
【００１５】
上記本発明の側面によれば，フレームメモリからの画像データの読み出し速度を上げず画像データのデータドライバへの転送レートを上げることなく，液晶層をオーバードライブ方式で駆動し，且つ，バックライト点灯期間を長くすることができる。よって，動画像のぼやけを抑制しつつ高画質の画像表示を可能にすることができる。
【発明を実施するための最良の形態】
【００１６】
以下、図面にしたがって本発明の実施の形態について説明する。但し、本発明の技術的範囲はこれらの実施の形態に限定されず、特許請求の範囲に記載された事項とその均等物まで及ぶものである。
【００１７】
図１は，液晶表示装置の概略構成図である。液晶表示装置は，画像信号変換回路１０と，液晶制御回路ユニット２０と，液晶表示パネル３０とで構成される。画像信号変換回路１０は，パーソナルコンピュータやテレビなどのからの画像ソース信号ＩＳを，たとえばパネルサイズや画素密度など，液晶表示パネルに対応した画素毎の画像信号Ｉｍｇに変換する。液晶制御回路ユニット２０は，供給された画像データ信号Ｉｍｇを一旦フレームメモリＦＭに格納し，ドライバ制御ユニット２２が，表示タイミングに応じて，フレームメモリＦＭ内の画像データを読み出し，データドライバ２４に供給すると共に，表示タイミングに応じて，ゲートドライバ２６によるゲート線の駆動を制御する。
【００１８】
液晶表示パネル３０は，行方向に延びる複数のゲート線Ｇ１〜Ｇｎと，列方向に延びる複数のデータ線Ｄ１〜Ｄｍと，それらゲート線とデータ線の交差位置に選択トランジスタと画素電極とからなる画素ＰＸ１１〜ＰＸｎｍとを有する。画像データに対応する駆動電圧が，データ線と画素の選択トランジスタとを介して画素電極に印加される。液晶層は，画素の電極と共通電極との間にはさまれ，画素電極に印加される電圧により当該電圧に対応する透過率に変化する。また，液晶表示パネル３０にはバックライト２８が設けられ，バックライト駆動信号ＢＬに応答して点灯し，液晶層に光を供給する。このバックライトの光が，液晶層の透過率に応じて表示面側に透過して所望の表示輝度を出力する。
【００１９】
液晶制御ユニット２０のデータドライバ２４は，フレームメモリＦＭから読み出された画像データ信号Ｉｍｇに対応する所定の電圧でデータ線Ｄ１〜Ｄｍを駆動し，ゲートドライバ２６は，ゲート線を駆動してその行の選択トランジスタを同時に導通させ，データ線に印加された電圧が画素電極に印加される。したがって，ゲート線を順次駆動することで，表示ライン上の画素に順次画像データに対応する電圧が印加される。
【００２０】
図２は，本実施の形態における液晶表示装置の部分構成図である。この構成図には，データドライバ２４とゲートドライバ２６とが詳しく示されている。図１に示したドライバ制御ユニット２２が，画像信号変換回路１０から供給される画像データを書き込み画像データＷｉｍｇとしてフレームメモリＦＭに書き込み，駆動タイミングに応じて，フレームメモリＦＭから画像データＲｉｍｇを読み出しデータドライバ２４に供給する。データドライバ２４は，線順次で供給される読み出し画像データＲｉｍｇをラッチするデータラッチ回路２４０と，１行分の画像データＲｉｍｇを駆動電圧に変換する電圧変換回路２４２と，変換された電圧でデータ線Ｄ１〜Ｄｍを駆動するドライバ回路２４４とを有する。また，ドライバ制御ユニット２２は，シフトレジスタ２６０，２６２と，シフトレジスタからの信号に応答してゲート線Ｇ１〜Ｇｎを駆動するドライバ回路２６２，２６４とを有する。シフトレジスタ２６０は，ドライバ制御ユニット２２からのスタート信号ＳＳＧａに応答して，データ「１」を垂直方向に順にシフトし，シフトレジスタのデータ「１」に応答してドライバ回路２６２が対応するゲート線を駆動する。シフトレジスタ２６０は，垂直方向に順にシフトした後にエンド信号ＥＳＧａを出力する。また，シフトレジスタ２６２は，前記エンド信号ＥＳＧａまたはドライバ制御ユニット２２からのスタート信号ＳＳＧｂに応答して，データ「１」を垂直方向に順にシフトし，それに応答してドライバ回路２６６が対応するデータ線を駆動する。シフトレジスタ２６４は，シフト動作の最後にエンド信号ＥＳＧｂを出力する。
【００２１】
図２の例では，液晶表示パネル３０が上半分の第１の表示領域と下半分の第２の表示領域とに分離され，また，バックライトは，第１の表示領域に光を供給するバックライト２８ａと第２の表示領域に光りを供給するバックライト２８ｂとに分離されている。更に，エンド信号ＥＳＧａがスタート信号ＳＳＧｂとして下側のシフトレジスタ２６４に供給される場合は，ドライバ制御ユニット２２は，スタート信号ＳＳＧａを与えるだけでシフトレジスタ２６０，２６４を一連に接続された一つのシフトレジスタとして動作させることができ，１フレーム期間内のゲート線の駆動制御を行うことができる。一方，ドライバ制御ユニット２２は，各シフトレジスタ２６０，２６４にスタート信号ＳＳＧａ，ＳＳＧｂを別々に供給する場合は，第１及び第２の表示領域のゲート線駆動を個別に制御することができる。そして，ドライバ制御ユニット２２は，バックライト２８ａ，２８ｂを，対応するバックライト駆動信号ＢＬａ，ＢＬｂにより同時にまたは個別に点灯制御することができる。
【００２２】
図３は，一般的な液晶表示装置の駆動制御を示す図である。この例では，各フレームＦ１，Ｆ２において，線順次で供給される画像データのうち表示ラインＬ１〜Ｌｎに対応する画像データ毎に，データ線Ｄ１〜Ｄｍに画素駆動電圧ＶＬＣＤが印加され，対応するゲート線Ｇ１〜Ｇｎが駆動される。したがって，フレーム期間ＦＴの間に，ゲート線Ｇ１からゲート線Ｇｎまでが順次駆動され，そのゲート線の駆動に同期して，データ線Ｄ１〜Ｄｍに画像データに対応する画素電圧ＶＬＣＤが印加される。表示ラインＬ１内の画素の液晶層には，電圧駆動期間ＶＤ中に画素電圧ＶＬＣＤが印加され，その後の電圧保持期間ＶＨ中は，その画素電圧に保持される。そして，画素の液晶層は，電圧印加に対応してその透過率が変化し，輝度ＬＵＭも変化する。
【００２３】
図３の例では，フレーム期間ＦＴの間，画素には画素電圧ＶＬＣＤが印加されるので，その液晶層は，フレーム期間ＦＴ内で所望の透過率まで変化することが要求される。つまり，フレーム期間ＦＴの最後になって初めてその画素の透過率が所望の透過率に達し，所望の輝度値に達する。よって，フレーム期間ＦＴ中は，画素の液晶層は透過率が変化する過渡状態にあり，その期間ＦＴ中バックライトを点灯しつづけると，液晶層の過渡状態の透過率に対して光が透過することになり，動画像のぼやけの原因となる。
【００２４】
図３の例において，液晶層の応答速度が遅い場合は，１フレーム期間ＦＴ内で透過率の変化が完了せず，所望の輝度値を得ることができない場合がある。特に画素電圧ＶＬＣＤの変化が大きい場合，例えば黒表示から白表示に変化する場合などは，液晶層の透過率の変化が間に合わないことがある。その場合，以下に示すオーバードライブ方式による駆動が有効である。
【００２５】
図４は，オーバードライブ方式による駆動制御を示す図である。この例では，各フレームＦ１，Ｆ２の画像データがフレームメモリＦＭに一旦格納され，そのフレームメモリＦＭから画像データＲｉｍｇが読み出され，その読み出された表示ライン毎の画像データＲｉｍｇに対応する駆動電圧でデータ線が駆動される。フレームメモリＦＭに画像データが格納されるので，フレームメモリからの画像データＲｉｍｇの読み出しのタイミングを制御することで，１フレーム期間ＦＴ内で，表示パネルを２回表示駆動することができる。ただし，フレームメモリＦＭからの画像データの読み出し速度とデータドライバへの転送速度を２倍に上げる必要がある。
【００２６】
まず，フレーム期間ＦＴ内の前半で，全てのゲート線Ｇ１〜Ｇｎを順次駆動しながら，全ての画素を画像データＲｉｍｇに対応する電圧よりも大きい（または小さい）オーバードライブ電圧Ｖｓで駆動する。これがスタート駆動ＳＤである。そして，フレーム期間ＦＴの後半で，再度全てのゲート線Ｇ１〜Ｇｎを順次駆動しながら，全ての画素を画像データＲｉｍｇに対応する電圧（またはそれを微調整した電圧）Ｖｈで駆動する。これがホールド駆動である。このようにオーバードライブすることで，スタート駆動ＳＤでは各画素がスタート電圧Ｖｓで駆動され，各画素の液晶層は所望の透過率に急速に変化し，所望の輝度ＬＵＭに変化することができる。また，ホールド駆動ＨＤでは各画素がホールド電圧Ｖｈに駆動され，そのホールド電圧状態に維持され，液晶層が所望の透過率に維持される。
【００２７】
このようにオーバードライブ方式によれば，各画素の液晶層を最終目標とする透過率まで短時間で変化させることができ，液晶の応答速度を高めることができ，１フレーム期間内で確実に画素の輝度値を変化させることができる。但し，輝度ＬＵＭに実線で示したように，表示パネル内の第１行Ｌ１の輝度はフレーム期間ＦＴの１／２の時点で所望値に達するが，破線で示したように，表示パネルの最終行Ｌｎの輝度はフレーム期間ＦＴの最後の時点で初めて所望値に達する。つまり，表示パネルの全ての行の画素に関していえば，１フレーム期間ＦＴをかけて輝度値が変化する。よって，バックライトをフレーム期間ＦＴの間点灯していると，いずれかの行の画素は過渡状態の透過率であり，動画像のぼやけの問題を根本的に解決することができない。
【００２８】
図４の駆動制御において，インパルス駆動方式により，バックライトをフレーム期間ＦＴの後半でのみ点灯させることが考えられる。その場合，第１行目Ｌ１の画素は，ホールド状態を点灯されるので，動画像のぼやけは解消される。しかし，最終行Ｌｎの画素は過渡状態を点灯されるので，動画像のぼやけの解消にはならない。つまり，１フレーム期間中は，いずれかの行で透過率が過渡状態にあるので，インパルス駆動方式を利用しても動画像のぼやけを完全に解決することはできない。
【００２９】
図５は，オーバードライブ方式による別の駆動制御を示す図である。この駆動制御は，フレームメモリＦＭからの画像データの読み出し速度を４倍に上げて，フレーム期間ＦＴの４分の１の期間ＦＴ／４でゲート線を順次駆動しながら各画素にスタート電圧Ｖｓによるスタート駆動ＳＤを行い，次の期間ＦＴ／４で再度ゲート線を順次駆動しながら各画素にホールド電圧Ｖｈによるホールド駆動ＨＤを行う。そして，後半のフレーム期間では各画素をホールド電圧Ｖｈに維持する。この方法によれば，液晶層は１フレームの４分の１の期間ＦＴ／４で変化するので液晶層の応答速度は４倍になる。そのため，最終行の画素の液晶層も，輝度ＬＵＭの破線で示すとおりその透過率はＦＴ／２期間で変化を完了する。そして，フレーム期間ＦＴの後半では全ての画素の輝度値ＬＵＭが所望の値になるので，その後半の期間のみバックライトを点灯することで，動画像のぼやけのない表示を実現することができる。つまり，フレーム期間ＦＴの前半は，いずれかの画素の透過率が過渡状態にあり，ぼやけ期間ＢＴになる。一方，フレーム期間ＦＴの後半は画素の透過率が保持状態になる。よって，その後半のみバックライトを点灯するインパルス駆動を採用することで，動画像のぼやけをなくすることができる。
【００３０】
ただし，フレーム期間の半分しかバックライトを点灯できないので，表示パネルの輝度値の低下を免れることができない。ただし，破線で示したようにバックライトの点灯期間を長くすると，表示領域の下半分の表示ラインＧn/2〜Ｇｎの画素は過渡状態にあるので，動画像のぼやけの原因となる。
【００３１】
図６は，図４のオーバードライブ駆動制御においてバックライトのインパルス駆動を適用した駆動制御を示す図である。この例では，図中右上に示されるとおり，液晶表示パネルを第１の表示領域Ｒａと第２の表示領域Ｒｂとに分けて，各第１，第２表示領域Ｒａ，Ｒｂに別々に光を供給する第１，第２のバックライトＢＬＴａ，ＢＬＴｂを設け，各第１，第２のバックライトＢＬＴａ，ＢＬＴｂを個別に点灯制御する。
【００３２】
まず，フレーム期間ＦＴの前半で全ゲート線Ｇ１〜Ｇｎを順次駆動しながら，第１，第２の表示領域Ｒａ，Ｒｂ内の各画素をスタート電圧Ｖｓであるオーバードライブ電圧で駆動する。更に，フレーム期間ＦＴの後半で再度全ゲートＧ１〜Ｇｎを順次駆動しながら，第１，第２の表示領域Ｒａ，Ｒｂ内の各画素をホールド電圧Ｖｓで駆動する。ここまでは，図４と同じである。つまり，１フレームを基準にすると，フレームメモリＦＭからの画像データＲｉｍｇの読み出しは２倍速であり，液晶層の応答速度も２倍速である。
【００３３】
更に，図６では，第１の表示領域Ｒａへのスタート駆動ＳＤが全て終了する時（図６中，破線で示した輝度ＬＵＭの変化が完了した時点）以降に，第１のバックライトＢＬＴａを点灯する。つまり，１フレーム期間ＦＴの最後の４分の１の期間，第１のバックライトＢＬＴａを点灯する。同様に，第２の表示領域Ｒｂへのスタート駆動ＳＤが全て終了する時以降に，第２のバックライトＢＬＴｂをＦＴ／４期間だけ点灯する。このように，バックライトを２つに分離して間欠的な点灯制御することで，２つの表示領域Ｒａ，Ｒｂの画素の液晶層の透過率が完全に変化した後にそれぞれ個別にバックライトを点灯することができ，動画像のぼやけをなくすことができる。但し，液晶層の応答速度が遅いため，ぼやけ期間ＢＴは１フレーム期間ＦＴの４分の３にもなり，バックライトの点灯期間が４分の１と短く，高い輝度の表示を行うことができない。
【００３４】
図７は，図５のオーバードライブ駆動制御においてバックライトの分離駆動を適用した駆動制御を示す図である。この例でも，図中右上に示されるとおり，液晶表示パネルを第１，第２の表示領域Ｒａ，Ｒｂに分けて，それぞれに対して第１，第２のバックライトＢＬＴａ，ＢＬＴｂを個別に点灯制御する。
【００３５】
まず，フレーム期間ＦＴの最初のＦＴ／４の期間で全ゲート線Ｇ１〜Ｇｎを順次駆動しながら，第１，第２の表示領域Ｒａ，Ｒｂの各画素をスタート電圧Ｖｓでスタート駆動ＳＤする。その後，次のＦＴ／４期間で再度全ゲート線Ｇ１〜Ｇｎを順次駆動しながら，第１，第２の表示領域Ｒａ，Ｒｂの各画素をホールド電圧Ｖｈで駆動する。そして，フレーム期間ＦＴの後半ＦＴ／２では，全画素の液晶状態が保持される。つまり，１フレームを基準にすると，フレームメモリＦＭからの画像データＲｉｍｇの読み出しは４倍速であり，液晶層はＦＴ／４の期間で変化する必要があるのでその応答速度も４倍速である。
【００３６】
更に，図７では，第１の表示領域Ｒａへのスタート駆動ＳＤが全て終了する時（図７中，破線で示した輝度ＬＵＭの変化が完了した時点）以降に，第１のバックライトＢＬＴａを点灯する。つまり，１フレーム期間ＦＴの８分の５の期間，第１のバックライトＢＬＴａを点灯する。同様に，第２の表示領域Ｒｂへのスタート駆動ＳＤが全て終了する時以降に，第２のバックライトＢＬＴｂを５ＦＴ／４期間だけ点灯する。このように，バックライトを２つに分離することで，バックライトの点灯期間を図５のＦＴ／２から５ＦＴ／８に長くすることができる。つまり，いずれかの画素の液晶層が過渡状態にあるぼやけ期間ＢＴを，１フレームの８分の３（３ＦＴ／８）に短くすることができる。
【００３７】
［本実施の形態］
図８は，本実施の形態における液晶表示パネルの第１の駆動制御を示す図である。この例では，図８の右上に示されるように，液晶表示パネルを第１，第２の表示領域Ｒａ，Ｒｂに分けて，それぞれに対して第１，第２のバックライトＢＬＴａ，ＢＬＴｂを個別に点灯制御する。そして，フレーム期間ＦＴの前半で，第１の表示領域Ｒａに対してスタート電圧駆動ＳＤとホールド電圧駆動ＨＤとを行し，後半で第２の表示領域Ｒａに対してスタート電圧駆動ＳＤとホールド電圧駆動ＨＤとを行う。つまり，フレーム期間ＦＴの前半で，第１の表示領域Ｒａの全ゲート線Ｇ１〜Ｇn/2を順次駆動しながら，読み出し画像データＲｉｍｇに対応するスタート電圧Ｖｓで画素を駆動するスタート駆動ＳＤと，再度，第１の表示領域Ｒａの全ゲート線Ｇ１〜Ｇn/2を駆動しながら，ホールド電圧Ｖｈで画素を駆動するホールド駆動ＨＤとを順次行う。その後，フレーム期間ＦＴの後半で，第２の表示領域Ｒｂの全ゲート線Ｇn/2〜Ｇｎを順次駆動しながら，読み出し画像データＲｉｍｇに対応するスタート電圧Ｖｓで画素を駆動するスタート駆動ＳＤと，再度，第２の表示領域Ｒｂの全ゲート線Ｇn/2〜Ｇｎを順次駆動しながら，ホールド電圧Ｖｈで画素を駆動するホールド駆動ＨＤとを順次行う。そして，各表示領域Ｒａ，Ｒｂで全ての画素のスタート駆動ＳＤが終了した後にそれぞれのバックライトＢＬＴａ，ＢＬＴｂの点灯制御を行う。つまり，フレーム期間ＦＴの後半で領域ＲａのバックライトＢＬＴａの点灯を行い，フレーム期間ＦＴの前半で領域ＲｂのバックライトＢＬＴｂの点灯を行う。
【００３８】
その結果，フレームメモリＦＭからの画像データＲｉｍｇの読み出しは２倍速のままで（画像データＲｉｍｇが１フレーム期間内で２回読み出されている），液晶層の変化速度を４倍速にすることができる（１フレームの４分の１の期間で輝度ＬＵＭの変化が完了している）。それに伴い，ぼやけ期間ＢＴをＦＴ／２に減らすことができ，各表示領域Ｒａ，Ｒｂのバックライト点灯期間をＦＴ／２にすることができる。
【００３９】
この作用効果は，図６の駆動制御と比較すると明白である。つまり，フレームメモリＦＭの画像データの読み出し速度とデータドライバへの転送速度をそれぞれ２倍速のままで，液晶層の応答速度を４倍速にし（スタート駆動ＳＤの期間がＦＴ／４），表示領域内の全ての画素の輝度値が変化完了するまでの期間であるぼやけ期間ＢＴを短く（ＦＴ／４）することができた。なお，バックライトの点灯を，先頭行の画素の透過率の過渡期間の終了時以降に行うことも可能であるが，その場合は，一部動画像のぼやけが生じる。
【００４０】
図９は，本実施の形態における液晶表示パネルの第２の駆動制御を示す図である。この例でも，図８の右上に示されるように，液晶表示パネルを第１，第２の表示領域Ｒａ，Ｒｂに分けて，それぞれに対して第１，第２のバックライトＢＬＴａ，ＢＬＴｂを個別に点灯制御する。
【００４１】
そして，フレーム期間ＦＴの最初の１／４で，第１の表示領域Ｒａの全ゲート線Ｇ１〜Ｇn/2を順次駆動しながら，読み出し画像データＲｉｍｇに対応するスタート電圧Ｖｓで画素を駆動するスタート駆動ＳＤと，再度，第１の表示領域Ｒａの全ゲート線Ｇ１〜Ｇn/2を順次駆動しながら，ホールド電圧Ｖｈで画素を駆動するホールド駆動ＨＤとを順次行う。その後，次のフレーム期間の１／４期間で，第２の表示領域Ｒｂの全ゲート線Ｇn/2〜Ｇｎを順次駆動しながら，読み出し画像データＲｉｍｇに対応するスタート電圧Ｖｓで画素を駆動するスタート駆動ＳＤと，再度，第２の表示領域Ｒｂの全ゲート線Ｇn/2〜Ｇｎを順次駆動しながら，ホールド電圧Ｖｈで画素を駆動するホールド駆動ＨＤとを順次行う。フレーム期間ＦＴの後半のＦＴ／２では，全画素の液晶層はホールド電圧Ｖｈに維持される。
【００４２】
更に，各表示領域Ｒａ，Ｒｂで全ての画素のスタート駆動ＳＤが終了した後にそれぞれのバックライトＢＬＴａ，ＢＬＴｂの点灯制御を行う。つまり，フレーム期間ＦＴのＦＴ／４の時から３ＦＴ／４の期間で領域ＲａのバックライトＢＬＴａの点灯を行い，フレーム期間ＦＴの後半から３ＦＴ／４の期間で領域ＲｂのバックライトＢＬＴｂの点灯を行う。これにより，それぞれのぼやけ期間ＢＴは，ＦＴ／４期間と短くなる。図７の駆動例と比較すると明らかなとおり，フレームメモリからの読み出し速度と転送速度が同じ４倍速でありながら，液晶の応答速度は８倍速となり（スタート駆動ＳＤの期間がＦＴ／８），ぼやけ期間ＢＴはＦＴ／４となる。なお，図７では，液晶応答速度は４倍速，ぼやけ期間ＢＴは３ＦＴ／８である。
【００４３】
このように，表示パネルを第１，第２の表示領域に分離し，それぞれの領域に透過光を供給するバックライトＢＬＴａ，ＢＬＴｂを個別に点灯制御し，更に，第１の表示領域に対してスタート駆動とホールド駆動とを順次行った後に，第２の表示領域に対してスタート駆動とホールド駆動とを順次行う。このように制御することで，フレームメモリの画像データの読み出し速度を上げることなく，液晶層の応答速度を高めることができ，液晶層の透過率が変化する過渡期間を含むぼやけ期間ＢＴを短くすることができる。
【００４４】
図８，図９の駆動制御は，図２に示したゲートドライバ２６とバックライト２８ａ，２８ｂのように，液晶表示パネルを２つの表示領域に別々に駆動制御可能な構成にすることで実現できる。つまり，ゲートドライバ２６は，２つのシフトレジスタ２６０，２６４に分けて，それぞれにスタート信号ＳＳＧａ，ＳＳＧｂを所望のタイミングで個別に与えることにより，２つの表示領域のゲート線の駆動を上記したタイミングで行うことができる。したがって，エンド信号ＥＳＧａがスタート信号ＳＳＧｂとして使用されることはない。また，フレームメモリＦＭから所望の表示領域の画像データを読み出して，読み出し画像データＲｉｍｇをデータドライバ２４のデータラッチ２４０に線順次で供給する。あるいは，ドライバ制御ユニット２２が，読み出した画像データＲｉｍｇからオーバードライブ用のスタート電圧Ｖｓやホールド電圧Ｖｈに対応する画像データを求め，その画像データをデータドライバ２４のデータラッチ２４０に線順次で供給する。更に，ドライバ制御ユニット２２は，２つのバックライト２８ａ，２８ｂにバックライト駆動信号を上記の制御に対応するタイミングで与える。
【００４５】
図１０は，本実施の形態における液晶表示パネルの第３の駆動制御を示す図である。この例は，図８の第１の駆動制御を４分割した表示領域とバックライトに適用したものである。つまり，図１０の右上に示されるとおり，液晶表示パネルは第１〜第４の表示領域Ｒａ〜Ｒｄに分割され，それに対応して４つのバックパネルＢＬＴａ〜ＢＬＴｄが個別に点灯制御される。
【００４６】
この駆動制御によれば，フレーム期間ＦＴの前半で，第１，第２の表示領域Ｒａ，Ｒｂに対して，図８と同じ駆動制御を行い，フレーム期間ＦＴの後半で，第３，第４の表示領域Ｒｃ，Ｒｄに対して，図８と同じ駆動制御を行う。つまり，フレーム期間ＦＴの最初の１／４期間で，第１の表示領域Ｒａの全ゲート線Ｇ１〜Ｇn/4を順次駆動しながら，読み出し画像データＲｉｍｇに対応するスタート電圧Ｖｓで画素を駆動するスタート駆動ＳＤと，再度，第１の表示領域Ｒａの全ゲート線Ｇ１〜Ｇn/4を順次駆動しながら，ホールド電圧Ｖｈで画素を駆動するホールド駆動ＨＤとを順次行う。第１の表示領域Ｒａ内の全画素へのスタート駆動ＳＤが終了した後の３ＦＴ／４期間の間，第１の表示領域ＲａへのバックライトＢＬＴａの点灯を行う。
【００４７】
次の１／４期間で，第２の表示領域Ｒｂへのスタート駆動ＳＤとホールド駆動ＨＤを順次行い，第２の表示領域Ｒｂ内の全画素へのスタート駆動ＳＤが終了した後の３ＦＴ／４期間の間，第２の表示領域ＲｂへのバックライトＢＬＴｂの点灯を行う。
【００４８】
そして，次の１／４期間では，上記と同様に，第３の表示領域Ｒｃへの駆動制御と第３のバックライトＢＬＴｃの点灯制御を行い，最後の１／４期間では，上記と同様に，第４の表示領域Ｒｄへの駆動制御と第４のバックライトＢＬＴｄの点灯制御を行う。
【００４９】
以上のように，この例では，フレームメモリＦＭからの画像データの読み出しは，表示領域Ｒａ，Ｒａ，Ｒｂ，Ｒｂ，Ｒｃ，Ｒｃ，Ｒｄ，Ｒｄの画像データの順に行われ，それら画像データに対応する駆動データがデータドライバに転送される。
【００５０】
この場合は，フレームメモリＦＭからの画像データの読み出し速度とデータドライバへの転送速度を２倍速にしたまま，液晶層の応答速度を８倍速にし（スタート駆動ＳＤはＦＴ／８の期間），ぼやけ期間ＢＴをＦＴ／４に短くすることができる。これは，バックライトを４分割して個別に点灯制御可能にしたことによるメリットである。
【００５１】
図１１は，本実施の形態における液晶表示パネルの第４の駆動制御を示す図である。この例では，図１０と同様に液晶表示パネルを４つの表示領域と４つのバックライトに分割した構成において，フレーム期間ＦＴの前半で，第１及び第２の表示領域Ｒａ，Ｒｂに対してスタート駆動ＳＤとホールド駆動ＨＤとを順次行い，フレーム期間ＦＴの後半で，第３及び第４の表示領域Ｒｃ，Ｒｄに対してスタート駆動ＳＤとホールド駆動ＨＤを順次行う。ここまでは，図８の第１の駆動制御と同じである。つまり，読み出し画像信号Ｒｉｍｇとゲートドライブの制御は，ＲａＲｂ，ＲａＲｂ，ＲｃＲｄ，ＲｃＲｄの順であり，図８のＲａ，Ｒａ，Ｒｂ，Ｒｂ同じである。
【００５２】
ただし，図１１の場合は，バックライトが４つの表示領域に対応して個別に点灯制御可能になっており，第１の表示領域Ｒａの全ての画素に対してスタート駆動ＳＤが終了した時点で，第１のバックライトＢＬＴａが点灯され，第２の表示領域Ｒｂの全ての画素に対してスタート駆動ＳＤが終了した時点で，第２のバックライトＢＬＫＴｂが点灯される。第３及び第４の表示領域Ｒｃ，Ｒｄに対しても同様である。
【００５３】
したがって，フレームメモリＦＭからの画像データの読み出し速度と，データドライバへの転送速度は，図８と同様に２倍速であり，液晶層の応答速度も図８と同様に４倍速である。ただし，ドライバ制御ユニット２２は，４つのバックライトを個別に制御しており，第１の表示領域Ｒａの全ての画素のスタート駆動ＳＤが終了した後に，第１のバックライトＢＬＴａを点灯制御する。つまり，ぼやけ期間ＢＴは３ＦＴ／８と図８より短くなり，その分，バックライト点灯期間が５ＦＴ／８と長くなっている。このように，図８のスタート駆動ＳＤとホールド駆動ＨＤを採用しても，バックライトをより細かく分割して制御することで，ぼやけ期間ＢＴをより短くすることができ，バックライト点灯期間をより長くすることができる。
【００５４】
上記の第３，第４の駆動制御では，液晶表示パネルを４つの表示領域と４つのバックライトに分割してそれぞれ個別に制御している。したがって，図２のゲートドライバ２６は，４組のシフトレジスタとドライバ回路を有している。データドライバ２４は図２と同様である。
【００５５】
図１２は，本実施の形態における第５の駆動制御を示す図である。この第５の駆動制御は，液晶表示パネルを６つの表示領域Ｒａ〜Ｒｆに分割し，それぞれにバックライトＢＬＴａ〜ＢＬＴｆを設けて，個別に点灯制御する。すなわち，６つの領域に分割して，図８，図１０で示した駆動制御を行う例である。
【００５６】
図１２に示されるとおり，ドライバ制御ユニット２２は，分割された６つの表示領域Ｒａ〜Ｒｆに対して，それぞれの表示領域でのスタート駆動ＳＤとホールド駆動ＨＤを順次実行する。つまり，フレームメモリＦＭからの画像データの読み出しとデータドライバへの転送とそれに対応するスタート駆動及びホールド駆動（ＳＤ／ＨＤ）は，Ｒａ，Ｒａ，Ｒｂ，Ｒｂ，Ｒｃ，Ｒｃ，Ｒｄ，Ｒｄ，Ｒｅ，Ｒｅ，Ｒｆ，Ｒｆの順に行われる。そして，各表示領域の全ての画素へのスタート駆動が終了した時点以降，次のスタート駆動が開始されるまでの５ＦＴ／６の期間，表示領域に対応するバックライトＢＬＴが点灯制御される。
【００５７】
この駆動制御によれば，画像データの読み出し，転送速度は２倍速であるが，液晶の応答速度は１２倍速になり，ぼやけ期間ＢＴはＦＴ／６と短くなっている。よって，より高輝度の画像表示を行うことができる。
【００５８】
図１３は，本実施の形態における第６の駆動制御を示す図である。この第６の駆動制御は，液晶表示パネルを６つの表示領域Ｒａ〜Ｒｆに分割し，それぞれにバックライトＢＬＴａ〜ＢＬＴｆを設けて，個別に点灯制御する。すなわち，６つの領域に分割して，図１１で示した駆動制御を行う例である。
【００５９】
図１３に示されるように，ドライバ制御ユニット２２は，液晶表示パネルの上半分Ｒａ，Ｒｂ，Ｒｃに対してスタート駆動ＳＤとホールド駆動ＨＤを行い，その後，下半分Ｒｄ，Ｒｅ，Ｒｆに対してスタート駆動ＳＤとホールド駆動ＨＤを行う。よって，画像データの読み出しと転送速度は２倍速であり，液晶層の応答速度は４倍速である。この点では，図１１の駆動制御と同じであるが，図１３の例では，ぼやけ期間ＢＬがＦＴ／３（＝８ＦＴ／２４）と，図１１の３ＦＴ／８（＝９ＦＴ／２４）よりもＦＴ／２４だけ短くなっている。
【００６０】
以上と同様にして，液晶表示パネルを８つの領域に分割し，それぞれの領域にバックライトを個別に制御可能にした構成とし，上記と同様に，Ｒａ，Ｒａ，Ｒｂ，Ｒｂ．．．のようにスタート駆動ＳＤとホールド駆動ＨＤを順次行うようにすると，同じフレームメモリの読み出し速度と画像データの転送速度で，液晶応答速度をより速くすることができ，ぼやけ期間ＢＴもより短くすることができる。あるいは，Ｒａ，Ｒｂ，Ｒｃ，Ｒｄ，Ｒａ，Ｒｂ，Ｒｃ，Ｒｄ．．．のようにスタート駆動ＳＤを上半分について行い，続いてホールド駆動を上半分について行い，その後，スタート駆動ＳＤを下半分について行い，続いてホールド駆動を下半分についておこなうこともできる。この場合は，液晶応答速度は短くならないが，バックライトをより細分化かして個別駆動することで，ぼやけ期間ＢＴをより短くすることができる。
【００６１】
以上の実施の形態をまとめると以下の付記のとおりである。
【００６２】
（付記１）フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域とにそれぞれ光を供給する第１及び第２のバックライトユニットを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯することを特徴とする液晶表示装置。
【００６３】
（付記２）フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域とにそれぞれ光を供給する第１及び第２のバックライトユニットを有し，
前記液晶制御回路ユニットは，フレーム期間内の駆動期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯し，
更に，液晶制御回路ユニットは，フレーム期間内の前記駆動期間後の保持期間において前記第１及び第２の表示領域の画素の電圧を保持することを特徴とする液晶表示装置。
【００６４】
（付記３）付記１または２において，
前記液晶制御回路ユニットは，前記第１の表示領域のスタート駆動中は第１のバックライトユニットの点灯を行わず，前記第２の表示領域のスタート駆動中は第２のバックライトユニットの点灯を行わないことを特徴とする液晶表示装置。
【００６５】
（付記４）付記１または２において，
前記第１の電圧は，前記液晶の透過率の変化を速めるオーバードライブ電圧であり，前記第２の電圧は，前記液晶の透過率を保持する保持電圧であることを特徴とする液晶表示装置。
【００６６】
（付記５）付記１または２において，
前記スタート駆動及びホールド駆動では，前記液晶制御回路ユニットが，対応する第１及び第２の表示領域内のゲート線を順次駆動しながら，前記データ線を第１及び第２の電圧で駆動することを特徴とする液晶表示装置。
【００６７】
（付記６）フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域と，第３のゲート線群を有する第３の表示領域と，第４のゲート線群を有する第４の表示領域とにそれぞれ光を供給する第１乃至第４のバックライトユニットを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，その後，前記第３の表示領域に対して，前記スタート駆動とホールド駆動とを順に行い，その後，前記第４の表示領域に対して，前記スタート駆動とホールド駆動とを順に行い，
前記第１乃至第４の表示領域のスタート駆動それぞれの後に，第１乃至第４のバックライトユニットをそれぞれ点灯することを特徴とする液晶表示装置。
【００６８】
（付記７）付記６において，
前記液晶制御回路ユニットは，
前記第１の表示領域のスタート駆動後に第１のバックライトユニットを点灯し，
前記第２の表示領域のスタート駆動後に第２のバックライトユニットを点灯し，
前記第３の表示領域のスタート駆動後に第３のバックライトユニットを点灯し，
前記第４の表示領域のスタート駆動後に第４のバックライトユニットを点灯することを特徴とする液晶表示装置。
【００６９】
（付記８）付記６または７において，
前記液晶制御回路ユニットは，前記第１乃至第４の表示領域のスタート駆動中は，それぞれ第１乃至第４のバックライトユニットの点灯を行わないことを特徴とする液晶表示装置。
【００７０】
（付記９）フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
前記液晶層を透過する光を供給するバックライトと，
前記フレームに対応する画像データを格納するフレームメモリを有し，当該フレームメモリから画像データを読み出し，当該画像データに対応する電圧を前記データ線を介して画素の液晶層に印加する液晶制御回路ユニットとを有し，
前記バックライトは，前記液晶表示パネルの第１のゲート線群を有する第１の表示領域と，第２のゲート線群を有する第２の表示領域と，第３のゲート線群を有する第３の表示領域と，第４のゲート線群を有する第４の表示領域とにそれぞれ光を供給する第１乃至第４のバックライトユニットを有し，
前記液晶制御回路ユニットは，フレーム期間中において，
前記第１，第２の表示領域に対して，その画素を前記画像データに対応する第１の電圧で駆動するスタート駆動と，前記画像データに対応する第２の電圧で駆動するホールド駆動とを順に行い，その後，前記第３，第４の表示領域に対して，前記スタート駆動とホールド駆動とを順に行い，
前記第１乃至第４の表示領域のスタート駆動それぞれの後に，第１乃至第４のバックライトユニットをそれぞれ点灯することを特徴とする液晶表示装置。
【００７１】
（付記１０）付記９において，
前記液晶制御回路ユニットは，
前記第１の表示領域のスタート駆動後に第１のバックライトユニットを点灯し，
前記第２の表示領域のスタート駆動後に第２のバックライトユニットを点灯し，
前記第３の表示領域のスタート駆動後に第３のバックライトユニットを点灯し，
前記第４の表示領域のスタート駆動後に第４のバックライトユニットを点灯することを特徴とする液晶表示装置。
【００７２】
（付記１１）付記９または１０において，
前記液晶制御回路ユニットは，前記第１乃至第４の表示領域のスタート駆動中は，それぞれ第１乃至第４のバックライトユニットの点灯を行わないことを特徴とする液晶表示装置。
【００７３】
（付記１２）付記６または９において，
前記第１の電圧は，前記液晶の透過率の変化を速めるオーバードライブ電圧であり，前記第２の電圧は，前記液晶の透過率を保持する保持電圧であることを特徴とする液晶表示装置。
【００７４】
（付記１３）付記６または９において，
前記スタート駆動及びホールド駆動では，前記液晶制御回路ユニットが，対応する第１及び第２の表示領域内のゲート線を順次駆動しながら，前記データ線を第１及び第２の電圧で駆動することを特徴とする液晶表示装置。
【００７５】
（付記１４）フレーム毎に画像データに対応する電圧を液晶層に印加し，当該液晶層を前記画像データに対応する透過率に変化させる液晶表示装置において，
前記液晶層を有し，更に，複数のゲート線と，複数のデータ線と，当該ゲート線とデータ線との交差位置に画素を有する液晶表示パネルと，
液晶表示パネルの第１のゲート線群を有する第１の表示領域の液晶層と，第２のゲート線群を有する第２の表示領域の液晶層とにそれぞれ光を供給する第１及び第２のバックライトユニットと，
画像データに対応する電圧を前記データ線を介して画素の液晶層に印加する液晶制御回路ユニットとを有し，
前記液晶制御回路ユニットは，フレーム期間中において，
前記第１の表示領域に対して，その画素を前記画像データに対応する第１の電圧で駆動するスタート駆動と，前記画像データに対応する第２の電圧で駆動するホールド駆動とを順に行い，その後，前記第２の表示領域に対して，前記スタート駆動とホールド駆動とを順に行い，
前記第１の表示領域のスタート駆動後に第１のバックライトユニットを点灯し，前記第２の表示領域のスタート駆動後に第２のバックライトユニットを点灯することを特徴とする液晶表示装置。
【図面の簡単な説明】
【００７６】
【図１】液晶表示装置の概略構成図である。
【図２】本実施の形態における液晶表示装置の部分構成図である。
【図３】一般的な液晶表示装置の駆動制御を示す図である。
【図４】オーバードライブ方式による駆動制御を示す図である。
【図５】オーバードライブ方式による別の駆動制御を示す図である。
【図６】図４のオーバードライブ駆動制御においてバックライトのインパルス駆動を適用した駆動制御を示す図である。
【図７】図５のオーバードライブ駆動制御においてバックライトの分離駆動を適用した駆動制御を示す図である。
【図８】本実施の形態における液晶表示パネルの第１の駆動制御を示す図である。
【図９】本実施の形態における液晶表示パネルの第２の駆動制御を示す図である。
【図１０】本実施の形態における液晶表示パネルの第３の駆動制御を示す図である。
【図１１】本実施の形態における液晶表示パネルの第４の駆動制御を示す図である。
【図１２】本実施の形態における液晶表示パネルの第５の駆動制御を示す図である。
【図１３】本実施の形態における液晶表示パネルの第６の駆動制御を示す図である。
【符号の説明】
【００７７】
Ｒａ：第１の表示領域                    Ｒｂ：第２の表示領域
ＢＬＴａ：第１のバックライトユニット    ＢＬＴｂ：第２のバックライトユニット
ＳＤ：スタート駆動                      ＨＤ：ホールド駆動
【図１】
2006243185.tif 000003
【図２】
2006243185.tif 000004
【図３】
2006243185.tif 000005
【図４】
2006243185.tif 000006
【図５】
2006243185.tif 000007
【図６】
2006243185.tif 000008
【図７】
2006243185.tif 000009
【図８】
2006243185.tif 000010
【図９】
2006243185.tif 000011
【図１０】
2006243185.tif 000012
【図１１】
2006243185.tif 000013
【図１２】
2006243185.tif 000014
【図１３】
2006243185.tif 000015